(57)【要約】【課題】２台の発振器ではなく、１台だけ発振器を取付ける場合には、外部からの衝撃または振動が大きくなると、発振器の電気的特性が悪くなってしまう場合があり、電気的な調整の繰返しによる特性改善、発振器取付部の構造の変更、または、それらの相互作用による特性改善を行う必要がある。【解決手段】第１の発振器と、該第１の発振器の周波数帯と異なる発振器を取付け、２つの周波数帯の発振器を切替えて使用可能なテレビ放送用無線中継伝送装置の発振器取付部において、前記第１の発振器若しくは前記第２の発振器の代わりに、ダミー若しくはバランサを取付け可能な発振器取付部を備えた。【選択図】図１
2010171501.tif 000002
【特許請求の範囲】
【請求項１】
第１の発振器と、該第１の発振器の周波数帯と異なる発振器を取付け、２つの周波数帯の発振器を切替えて使用可能なテレビ放送用無線中継伝送装置の発振器取付部において、前記第１の発振器若しくは前記第２の発振器の代わりに、ダミー若しくはバランサを取付け可能な発振器取付部を備えたことを特徴とする発振器取付部。
【発明の詳細な説明】
【技術分野】
【０００１】
本発明は、テレビ放送用無線中継伝送装置に関わり、特に発振器取付部の構造に関する。
【背景技術】
【０００２】
図２、図３、図４、及び図５により、従来のテレビ放送用無線中継伝送装置における発振器の取付構造を説明する。図２は、従来のテレビ放送用無線中継伝送装置を示す斜視図で、内部が見えやすいように、テレビ放送用中継伝送装置２０１の左側面カバー２０２を外した図である。図３は、発振器取付部３０１を、テレビ放送用無線中継伝送装置２０１から取出した状態を示す図である。図３（ａ）は、発振器取付部３０１を上部から見た斜視図、図３（ｂ）は、発振器取付部３０１を取付金具３０５の下部の裏面側から見た斜視図である。図３に示すように、ベース３０４に取付金具３０５が取付けられ、取付金具３０５に発振器Ａ３０２−１と発振器Ｂ３０２−２が、防振材３０３を介して取付けられている。図４と図５は、発信器の取付け状態を説明するための図である。図４は、取付金具３０５に発振器Ａ３０２−１と発振器Ｂ３０２−２が取付けられ、図５は、取付金具３０５に発振器Ａ３０２−１だけが取付けられた状態を示す。発振器Ａ３０２−１と発振器Ｂ３０２−２とは、それぞれ、異なる周波数帯ｆ１及びｆ２の信号を発生する。
【０００３】
図２〜図５において、発振器Ａ３０２−１及び発振器Ｂ３０２−２は、取付金具３０５に固定され、この取付金具３０５を、防振材３０３を介しベース３０４に固定する構造となっている。発振器Ａ３０２−１及び発振器Ｂ３０２−２の取付けは、例えば、発振器Ｂ３０２−２と取付金具３０５を、取付金具３０５に設けた取付用穴部３０６にネジ等の締結具で固定する。
発振器Ａ３０２−１及び発振器Ｂ３０２−２は、外部からの衝撃または振動に対して非常に敏感なため、防振材３０３を使用して、衝撃や振動による負荷を軽減する必要がある。
【０００４】
また、このようなテレビ放送用中継伝送装置２０１は、使用時には、発振器Ａ３０２−１及び発振器Ｂ３０２−２のどちらか一方の周波数帯を使用するので、どちらか一方の発振器に切替えて運用を行っている。しかし、顧客によっては、１波のみの周波数帯での運用を求められることがある。このような場合には、使用する周波数帯が１波しかないので、例えばｆ１用の発振器Ａ３０２−１のみを実装したテレビ放送用中継伝送装置を提供する必要があった。
その場合には、図５に示すように、使用しない一方の発振器Ｂ３０２−２を取付金具３０５から取外して、テレビ放送用中継伝送装置に実装している。しかし、一方の発振器を取外すため、取付金具３０５の片側に負荷が加わり、発振器２台を実装する場合と比べ、質量及び重心位置が変わってしまう。このため、発振器の取付部分のバランスが狂い、外部からの衝撃または振動が大きくなる。
なお、本件に係る先行技術文献は、発見できなかった。
【発明の概要】
【発明が解決しようとする課題】
【０００５】
上述のように、従来技術では、２台の発振器ではなく、１台だけ発振器を取付ける場合には、外部からの衝撃または振動が大きくなると、発振器の電気的特性が悪くなってしまう場合があり、電気的な調整の繰返しによる特性改善、発振器取付部の構造の変更、または、それらの相互作用による特性改善を行う必要があり、最悪の場合には、同様の別の発振器を実装する場合があり、非常に作業性が悪くあらゆる面でコスト高となっていた。
本発明は、上記の問題を解決する発振器取付構造を提供することを目的とする。
【課題を解決するための手段】
【０００６】
上記の課題を解決するために、本発明は、２波切替え形テレビ放送用無線中継伝送装置を１波形として使用する場合において、２台実装されている発振器の一方を取外した場合に、それに変わる擬似的な構造物を実装することで発振器取付部のバランスを保つようにしたものである。
即ち、本発明の発振器取付部は、第１の発振器と、該第１の発振器の周波数帯と異なる発振器を取付け、２つの周波数帯の発振器を切替えて使用可能なテレビ放送用無線中継伝送装置の発振器取付部において、前記第１の発振器若しくは前記第２の発振器の代わりに、ダミー若しくはバランサを取付け可能な発振器取付部を備え、発振器取付部のバランスを保つようにしたものである。
【発明の効果】
【０００７】
本発明によれば、発振器取付部の構造を変更する必要がなく、かつ使用しない発振器を取付ける必要がなく、かつ難易な調整の必要がなくなる。このためコスト低減ができる。
【図面の簡単な説明】
【０００８】
【図１】本発明の発振器取付部の一実施例の構造を示す図。
【図２】従来のテレビ放送用無線中継伝送装置を示す斜視図。
【図３】従来の発振器取付部をテレビ放送用無線中継伝送装置から取出した状態を示す図。
【図４】発信器の取付け状態を説明するための図。
【図５】発信器の取付け状態を説明するための図。
【発明を実施するための形態】
【０００９】
本発明の一実施例を、図１を用いて説明する。図１は、本発明の発振器取付構造の一実施例を示す図である。
図１に示すように、発振器Ａ３０２−１及びバランサ１０７は、従来と同様に、例えば、バランサ１０７と取付金具３０５を、取付金具３０５に設けた取付用穴部３０６にネジ等の締結具で取付金具３０５に固定する。このバランサ１０７を、取付金具３０５に固定することで、発振器取付部１０１の質量及び重心が発振器を２台実装したものと同一になる様になる。なお、バランサ７の材質及び形状は、任意で良く、材質及び形状を考慮して、安価に製作することができる。
【００１０】
図１の実施例によれば、２波切替え形テレビ放送用無線中継伝送装置を１波形として使用する場合において、２台実装可能な発振器取付け部を備える構成において、図３の構成に対し、発振器Ｂ３０２−２がない空間に、ダミーやバランサを取付けることによって、発振器取付部のバランスを保つようにしたため、外部からの衝撃または振動が大きくなっても、発振器の電気的特性が悪くなってしまうことがない。
この結果、電気的な調整の繰返しによる特性改善、発振器取付部の構造の変更、または、それらの相互作用による特性改善を行う必要がなくなり、コスト低減が可能となった。
【符号の説明】
【００１１】
１０１：発振器取付部、  １０７：バランサ、  ２０１：テレビ放送用中継伝送装置、  ２０２：左側面カバー、  ３０１：発振器取付部、  ３０２−１：発振器Ａ、  ３０２−２：発振器Ｂ、  ３０３：防振材、  ３０４：ベース、  ３０５：取付金具、  ３０６：取付用穴部。
【図１】
2010171501.tif 000003
【図２】
2010171501.tif 000004
【図３】
2010171501.tif 000005
【図４】
2010171501.tif 000006
【図５】
2010171501.tif 000007